(57)【特許請求の範囲】
【請求項１】
フレーム（２）に対し回転テーブル（３）が回転軸（１０）によって回転可能に支持され、前記回転テーブル（３）の回転テーブル面（４）に直交して前記フレーム（２）に設置面（５）が設けられ、前記回転テーブル面（４）と前記設置面（５）とにそれぞれ直交するフレーム（２）の２面（６、７）のうちいずれか一方の面（６）にモータ（８）が配設され、前記モータ（８）の出力軸（９）が伝達要素（１４、１５）を介して前記一方の面（６）と直交するウォーム軸（１１）の前記一方の面（６）側の端部に連結され、前記モータ（８）が前記の伝達要素（１４、１５）、前記ウォーム軸（１１）のウォーム（１２）および前記回転軸（１０）に設けられるウォームホィール（１３）を介して前記回転テーブル（３）を駆動するインデックステーブル（１）において、
前記モータ（８）は、前記一方の面（６）に加え、前記フレーム（２）の前記２面（６、７）の他方の面（７）にも取り付け可能となっており、勝手仕様の変更にともなって、前記一方の面（６）から前記モータ（８）を取り外し前記他方の面（７）へ前記モータ（８）を取り付けるにあたり、前記ウォームホィール（１３）が前記回転軸（１０）に対し１８０°反転されて前記変更前に対し裏返されて前記回転軸（１０）に取り付けられるともに、前記ウォーム軸（１１）が前記フレーム（２）の左右方向に関し１８０°反転されて前記変更前に対し左右逆に前記フレーム（２）に対し取り付けられ、前記他方の面（７）に取り付けられたモータ（８）の出力軸（９）が、前記ウォーム軸（１１）の前記他方の面（７）側の端部に伝達要素（１４、１５）を介して連結される、ことを特徴とするインデックステーブル（１）。
【請求項２】
前記ウォーム軸（１１）は、ウォーム（１２）の歯厚寸法が軸線方向に沿って漸増、または漸減して設けられており、前記フレーム（２）の前記一方の面（６）側と前記他方の面（７）側とにそれぞれ設けられる収容孔（１６）であって互いに同一径の各収容孔（１６）に嵌合され、ベアリング（１７、８８）を介して前記ウォーム軸（１１）の両端をそれぞれ支持する２つのベアリング収容部材（１８、８９）において、前記他方の面（７）側の収容孔（１６）に嵌合される前記ベアリング収容部材（１８）は、前記ウォーム軸（１１）との相対移動が軸線方向に規制されると共に、前記フレーム（２）に対する固定位置を軸線方向に調整可能に設けられ、勝手仕様の変更にともなって、前記一方の面（６）から前記モータ（８）を取り外し前記他方の面（７）へ前記モータ（８）を取り付けるにあたり、前記ベアリング収容部材（１８）が前記他方の面（７）に設けられる収容孔（１６）から外されて前記一方の面（６）に設けられる収容孔（１６）に嵌合され、フレーム（２）に対する固定位置が調整されることによって、前記ウォーム軸（１１）は、軸線方向位置が調整されて、前記ウォーム（１２）と前記ウォームホィール（１３）との噛み合い遊びが調整される、ことを特徴とする請求項１記載のインデックステーブル（１）。
【請求項３】
前記回転軸（１０）には、半径方向に広がる平坦なウォームホィール取付基準面（１９）が設けられ、前記ウォームホィール（１３）には、両端部に回転軸取付基準面（２０）がそれぞれ形成される共に、両回転軸取付基準面（２０）が、ウォームホィール（１３）の歯の曲率中心から軸線方向に互いに等距離に設けられ、前記ウォームホィール取付基準面（１９）は、両回転軸取付基準面（２０）の１つと選択的に接する、ことを特徴とする請求項１記載のインデックステーブル（１）。
【発明の詳細な説明】
【技術分野】
【０００１】
本発明は、工作機械に設置されるインデックステーブルに関する。
【背景技術】
【０００２】
インデックステーブルには、回転テーブル面に直交して工作機械への設置面がフレームに設けられ、回転テーブル面と設置面とにそれぞれ直交するフレームの両側面部の２つの面のうち、いずれか一方の面に、該面と直交するウォーム軸に伝達要素を介して連結されるモータが配設されるタイプのものがあり、モータがウォーム軸を介して回転テーブルの回転軸に取り付けられるウォームホィールを駆動することによって、回転テーブルが駆動される。
【０００３】
このタイプのインデックステーブルの仕様には、工作機械への設置面を下にしインデックステーブルのテーブル面を正面に見た状態で、モータが前記回転軸の右側に位置する右勝手仕様の装置と、モータが前記回転軸の左側に位置する左勝手仕様の装置とがあり、それらは、搭載される工作機械に対応して選択され、モータの占有空間によってワークの加工が規制されるのを避けている。
【０００４】
このタイプのインデックステーブルにおいて、搭載される工作機械の変更や、ツールの種類、ワークの形状等の加工条件の変更に対応して、右勝手仕様の装置を左勝手仕様の装置に、あるいは左勝手仕様の装置を右勝手仕様の装置にそれぞれ変更可能とする要求が現場にある。その変更の際に、ウォームホィールおよびウォーム軸は、交換することなく用いたい。
【０００５】
そのため、特許文献１に記載されているインデックステーブルでは、回転テーブル面と直交する４つの面のうち、モータが突出する面を除いて、２つの面または３つの面を工作機械への設置可能面としており、部品を取り替えることなく、右勝手仕様の装置を左勝手仕様の装置に、また、その逆に左勝手仕様の装置を右勝手仕様の装置にそれぞれ変更可能としている。
【０００６】
しかし、前記のように、工作機械に対する設置面を一方から他方へ変更した場合、回転テーブル面と設置面との直角度が変化するおそれがあり、それが変化すると、ワークの加工精度が低下する。また、使用していない設置面は、露出しており、工具、ワークなどによって表面状態が損なわれることもあるため、表面状態の悪化した設置面を利用した場合には、ワークの加工精度が低下することになる。さらに、ウォーム軸が上下方向に設けられたり、回転軸の上方に設けられる場合があり、ウォームとウォームホィールとのかみ合い部分へのオイルバス、ウォーム軸の両端のベアリングへのオイルバスが悪化し、それらの磨耗、破損が早期に生じるおそれがある。
【特許文献１】特開２００４−１４２０２３号公報
【発明の開示】
【発明が解決しようとする課題】
【０００７】
したがって、本発明の課題は、回転テーブル面に直交して設置面がフレームに設けられ、回転テーブル面と設置面とにそれぞれ直交する面のうち、いずれかの面に、ウォーム軸を駆動するモータが配設されるインデックステーブルにおいて、ワークの加工精度やオイルバス性能を損なうことなく、モータの右勝手仕様の装置を左勝手仕様の装置に、および左勝手仕様の装置を右勝手仕様の装置にそれぞれ変更可能とすることである。
【課題を解決するための手段】
【０００８】
上記課題のもとに、本発明は、フレーム（２）に対し回転テーブル（３）が回転軸（１０）によって回転可能に支持され、前記回転テーブル（３）の回転テーブル面（４）に直交して前記フレーム（２）に設置面（５）が設けられ、前記回転テーブル面（４）と前記設置面（５）とにそれぞれ直交するフレーム（２）の２面（６、７）のうちいずれか一方の面（６）にモータ（８）が配設され、前記モータ（８）の出力軸（９）が伝達要素（１４、１５）を介して前記一方の面（６）と直交するウォーム軸（１１）の前記一方の面（６）側の端部に連結され、前記モータ（８）が前記の伝達要素（１４、１５）、前記ウォーム軸（１１）のウォーム（１２）および前記回転軸（１０）に設けられるウォームホィール（１３）を介して前記回転テーブル（３）を駆動するインデックステーブル（１）において、前記モータ（８）は、前記一方の面（６）に加え、前記フレーム（２）の前記２面（６、７）の他方の面（７）にも取り付け可能となっており、勝手仕様の変更にともなって、前記一方の面（６）から前記モータ（８）を取り外し前記他方の面（７）へ前記モータ（８）を取り付けるにあたり、前記ウォームホィール（１３）が前記回転軸（１０）に対し１８０°反転されて前記変更前に対し裏返されて前記回転軸（１０）に取り付けられるともに、前記ウォーム軸（１１）が前記フレーム（２）の左右方向に関し１８０°反転されて前記変更前に対し左右逆に前記フレーム（２）に対し取り付けられ、前記他方の面（７）に取り付けられたモータ（８）の出力軸（９）が、前記ウォーム軸（１１）の前記他方の面（７）側の端部に伝達要素（１４、１５）を介して連結されるようにしている（請求項１）。
【０００９】
ここで、勝手仕様の変更とは、インデックステーブル（１）の仕様を、設置面（５）を下に回転テーブル面（４）を正面に見た状態で、モータ（８）が回転軸（１０）の右側に位置する右勝手仕様からモータ（８）が回転軸（１０）の左側に位置する左勝手仕様へ変更すること、および左勝手仕様から右勝手仕様へ変更することをいう。
【００１０】
また、フレーム（２）の左右方向とは、インデックステーブル（１）の設置面（５）を下に回転テーブル面（４）を正面に見た状態における左右方向をいう。
【００１１】
前記ウォーム軸（１１）は、ウォーム（１２）の歯厚寸法が軸線方向に沿って漸増、または漸減して設けられており、前記フレーム（２）の前記一方の面（６）側と前記他方の面（７）側とにそれぞれ設けられる収容孔（１６）であって互いに同一径の各収容孔（１６）に嵌合され、ベアリング（１７、８８）を介して前記ウォーム軸（１１）の両端をそれぞれ支持する２つのベアリング収容部材（１８、８９）において、前記他方の面（７）側の収容孔（１６）に嵌合される前記ベアリング収容部材（１８）は、前記ウォーム軸（１１）との相対移動が軸線方向に規制されると共に、前記フレーム（２）に対する固定位置を軸線方向に調整可能に設けられ、勝手仕様の変更にともなって、前記一方の面（６）から前記モータ（８）を取り外し前記他方の面（７）へ前記モータ（８）を取り付けるにあたり、前記ベアリング収容部材（１８）が前記他方の面（７）に設けられる収容孔（１６）から外されて前記一方の面（６）に設けられる収容孔（１６）に嵌合され、フレーム（２）に対する固定位置が調整されることによって、前記ウォーム軸（１１）は、軸線方向位置が調整されて、前記ウォーム（１２）と前記ウォームホィール（１３）との噛み合い遊びが調整される（請求項２）。
【００１２】
前記回転軸（１０）には、半径方向に広がる平坦なウォームホィール取付基準面（１９）が設けられ、前記ウォームホィール（１３）には、両端部に回転軸取付基準面（２０）がそれぞれ形成される共に、両回転軸取付基準面（２０）が、ウォームホィール（１３）の歯の曲率中心から軸線方向に互いに等距離に設けられ、前記ウォームホィール取付基準面（１９）は、両回転軸取付基準面（２０）の１つと選択的に接する（請求項３）。
【発明の効果】
【００１３】
フレーム（２）に対し回転テーブル（３）が回転軸（１０）によって回転可能に支持され、前記回転テーブル（３）の回転テーブル面（４）に直交して前記フレーム（２）に設置面（５）が設けられ、前記回転テーブル面（４）と前記設置面（５）とにそれぞれ直交するフレーム（２）の２面（６、７）のうちいずれか一方の面（６）にモータ（８）が配設され、前記モータ（８）の出力軸（９）が伝達要素（１４、１５）を介して前記一方の面（６）と直交するウォーム軸（１１）の前記一方の面（６）側の端部に連結され、前記モータ（８）が前記の伝達要素（１４、１５）、前記ウォーム軸（１１）のウォーム（１２）および前記回転軸（１０）に設けられるウォームホィール（１３）を介して前記回転テーブル（３）を駆動するインデックステーブル（１）において、前記モータ（８）は、前記一方の面（６）に加え、前記フレーム（２）の前記２面（６、７）の他方の面（７）にも取り付け可能となっており、勝手仕様の変更にともなって、前記一方の面（６）から前記モータ（８）を取り外し前記他方の面（７）へ前記モータ（８）を取り付けるにあたり、前記ウォームホィール（１３）が前記回転軸（１０）に対し１８０°反転されて前記変更前に対し裏返されて前記回転軸（１０）に取り付けられるともに、前記ウォーム軸（１１）が前記フレーム（２）の左右方向に関し１８０°反転されて前記変更前に対し左右逆に前記フレーム（２）に対し取り付けられ、前記他方の面（７）に取り付けられたモータ（８）の出力軸（９）が、前記ウォーム軸（１１）の前記他方の面（７）側の端部に伝達要素（１４、１５）を介して連結するようにしている。このため、ウォーム軸（１１）およびウォームホィール（１３）を交換することなく、すなわち、勝手仕様の変更の前後で同一のウォーム軸（１１）および同一のウォームホィール（１３）を用いてウォーム軸（１１）に対するウォームホィール（１３）の噛み合い関係を維持したまま勝手仕様の変更ができ、またワークの加工精度やオイルバス性能を損なうことなく、勝手仕様の変更に対応できる（請求項１）。
【００１４】
前記ウォーム軸（１１）は、ウォーム（１２）の歯厚寸法が軸線方向に沿って漸増、または漸減して設けられており、しかもベアリング（１７、８８）を介して前記ウォーム軸（１１）の両端をそれぞれ支持する２つのベアリング収容部材（１８、８９）のうちの他方の面（７）側のベアリング収容部材（１８）は、前記ウォーム軸（１１）との相対移動が軸線方向に規制されると共に、前記フレーム（２）に対する固定位置を軸線方向に調整可能に設けられているので、前記ベアリング収容部材（１８）のフレーム（２）に対する固定位置を軸線方向に調整することにより、ウォーム軸（１１）は、軸線方向位置が調整されて、ウォーム（１２）とウォームホィール（１３）との噛み合い遊びが調整されるため、最適な噛み合い状態に調整可能となると共に、勝手仕様の変更にともなって、前記ベアリング収容部材（１８）は、前記他方の面（７）から取り外されて前記一方の面（６）へ取り付けられるので、勝手仕様変更前と同様、モータ（８）に干渉されることなく、ベアリング収容部材（１８）の固定位置の調整作業をすることができる（請求項２）。
【００１５】
前記回転軸（１０）には、半径方向に広がる平坦なウォームホィール取付基準面（１９）が設けられ、前記ウォームホィール（１３）には、両端部に回転軸取付基準面（２０）がそれぞれ形成される共に、両回転軸取付基準面（２０）が、ウォームホィール（１３）の歯の曲率中心から軸線方向に互いに等距離に設けられ、前記ウォームホィール取付基準面（１９）は、両回転軸取付基準面（２０）の１つと選択的に接するため、回転軸（１０）に対するウォームホィール（１３）の取付け位置が変化せず、ウォームホィール（１３）とウォーム（１２）との噛み合い精度が維持される（請求項３）。
【発明を実施するための最良の形態】
【００１６】
本発明に係るインデックステーブル１の最良の実施形態は、図１ないし図７に示す実施例よって実現できる。図１ないし図７に示す実施例の構成は、請求項１、請求項２、請求項３に対応している。以下に、図１ないし図７に示す実施例について具体的に説明する。
【００１７】
図１ないし図７の実施例のインデックステーブル１において、図１ないし図５は、左勝手仕様のインデックステーブル１を示し、図６および図７は、右勝手仕様のインデックステーブル１を示す。
【００１８】
インデックステーブル１は、直方体のフレーム２、フレーム２に回転自在に支持され、図示しないワークを固定して支持する回転テーブル３、この回転テーブル３を駆動して所定の角度に割り出すために、フレーム２の側部に取付けられるモータ８、モータ８の回転を回転テーブル３に減速しながら伝達するために、フレーム２の内部に組み込まれるウォーム軸１１、およびウォーム軸１１のウォーム１２と噛み合うウォームホィール１３などによって構成されている。
【００１９】
図１ないし図５の左勝手仕様のインデックステーブル１では、回転テーブル３を正面に見て、モータ８はフレーム２の左側部に配置されており、図６および図７の右勝手仕様のインデックステーブル１では、モータ８はフレーム２の右側部に配置されている。
【００２０】
なお、インデックステーブル１の構成の説明を、便宜上、図１ないし図５の左勝手仕様のインデックステーブル１について進めることとし、図６および図７の右勝手仕様のインデックステーブル１の構成の説明を、左勝手仕様から右勝手仕様に変更するときに記載することとする。
【００２１】
回転テーブル３は、ワーク取付け用の回転テーブル面４を備え、該回転テーブル面４がフレーム２の前面にその面に平行に配置され、回転軸１０に嵌合されて回転軸１０と一体化されており、該回転軸１０はフレーム２に回転可能に支持される。フレーム２は、直方体であり、下側面が工作機械への設置面５となっており、該設置面５は回転テーブル３の回転テーブル面４に直交する。回転テーブル面４と設置面５とにそれぞれ直交するフレーム２の左右の互いに平行な側部面は、それぞれモータ８を取付けのための一方の面６と他方の面７とを形成している。
【００２２】
フレーム２は、内部で、２つの面６、７にそれぞれ開口する２つの収容孔１６、該収容孔１６の上方に位置してウォームホィール１３および回転軸１０を収容する収容空間２１を形成しており、２つの収容孔１６は、ウォーム軸１１の両端をそれぞれ支持するベアリング収容部材１８、８９がそれぞれ収容される。また、フレーム２は収容孔１６間に噛み合い空間が形成されており、該空間で、収容孔１６と収容空間２１とが連通して、回転軸１０に固定されるウォームホィール１３とウォーム軸１１の中央部分に設けられるウォーム１２とが、ウォーム１２をウォームホィール１３の下方として、互いに噛み合う。本実施例では、ウォーム１２は、歯厚寸法が軸線方向に沿って漸増、または漸減する。フレーム２の右側部、左側部は、設置面５と直交して回転軸１０を通る面に対し、左右対称に形成されており、特に、２つのベアリング収容部材１８、８９が嵌合される収容孔１６は、左右同一径となっており、２つのベアリング収容部材１８、８９を同一径とすることによって、ベアリング収容部材１８、８９を左右で入れ替え可能としている。
【００２３】
モータ８は、取付面を有して２つの面６、７のうちいずれにも配設可能であり、左勝手仕様では、図示しない取付けねじなどによってフレーム２の面６に取付けられる。本実施例のモータ８の出力軸９は、前記取付面と直交しており、該取付面が面６または面７に取り付けられることにより、面６または面７と直交すると共に、収容孔１６の開口部からフレーム２の内部に入り込む。出力軸９は、フレーム２の内部で、出力軸９に固定されている伝達要素としてのギヤ１４、ウォーム軸１１の左端に固定されている伝達要素としてのギヤ１５を介して、面６と直交するウォーム軸１１に連結されている。なお、伝達要素は、ギヤ１４、ギヤ１５に限らず、回転の伝達形態に応じてカップリングなども含む。
【００２４】
モータ８は、モータカバー６０によって覆われている。モータカバー６０は、その開口縁に溶接されるベース６１の部分で、ディスタンス５９を介して左勝手の仕様の場合、フレーム２の左側面の面６に、また右勝手の仕様の場合、右側面の面７に取付けボルト６２により取り付けられる。モータカバー６０は、設置面５と直交してモータ８の出力軸９を通る面に対し、ターミナルカバー６４と、反対勝手仕様用のターミナル窓６３の窓カバー７０とを除いて対称に形成され、右勝手仕様と左勝手仕様では、変更の際に、ターミナルカバー６４と、窓カバー７０とが互いに付け替えられる。
【００２５】
前述のように、ウォーム軸１１は、２つの面６、７と直交して、回転軸１０よりも下方に位置し、またモータ８の出力軸９は、ギヤ１４、１５、ウォーム軸１１のウォーム１２、ウォームホィール１３と一体の回転軸１０を介して回転テーブル３を大きな減速比のもとに駆動する。
【００２６】
ウォーム軸１１の図２における一方の面６側端部、即ちモータ８側端部は、ギヤ１４が取り付け可能に形成される。また、ウォーム軸１１の図２における他方の面７側端部、即ち反モータ８側端部は、一対の互いに平行な平坦面７９が形成されており、噛み合い遊び調整等の際に、スパナ等の工具を平坦面７９で保持することにより、工具を介し、手でウォーム軸１１を回転させることができる。なお、ギヤ１４は、内周面がテーパに形成されており、固定ボルト２４を介してテーパスリーブを有するギヤ取付け部材２３と一体化されている。ギヤ取付け部材２３は、固定ボルト２４の締付力で内周面が縮径し、モータ８の出力軸９に固定され、これにより、ギヤ１４はモータ８の出力軸９に固定される。ギヤ１５は、同様にして、ギヤ取付け部材２８、固定ボルト２９によってウォーム軸１１のモータ８側端部に固定される。
【００２７】
テーパローラベアリング１７、ニードルベアリング８８を介し、ウォーム軸１１の各端部をそれぞれ支持するベアリング収容部材１８、８９は、各面６、７で互いに同一径の各収容孔１６に収容される。なお、モータ側のニードルベアリング８８は、止めリング２７などによってベアリング収容部材８９に取り付けられ、ベアリング収容部材８９との軸線方向の相対移動が規制されと共に、ウォーム軸１１との間に止めリング等の軸線方向規制部材が設けられておらず、ウォーム軸１１との軸線方向の相対移動が規制されない。またウォーム軸１１の反モータ８側端部には、雄ねじが形成されており、反モータ側の２つのテーパローラベアリング１７は、ウォーム軸１１の中央側に形成される段部と、内周面に雌ねじを有してウォーム軸１１への固定位置を任意に調整可能なベアリング規制部材２６と、テーパローラベアリング１７間のベアリング収容部材１８の内周面に形成されるディスタンス部とによって、軸線方向の移動が規制されて、ウォーム軸１１に取り付けられている。従って、ウォーム軸１１は、反モータ側の２つのテーパローラベアリング１７と、テーパローラベアリング１７間に形成される前記ディスタンス部とを介して、反モータ側のベアリング収容部材１８との軸線方向の相対移動が規制される。
【００２８】
なお、ベアリング規制部材２６は、反ベアリング側端部に薄肉部を有し、ベアリング側端部に螺合している六角穴付ボルトで薄肉部を締め上げることにより、内周面の雌ネジが薄肉部部分で縮径する。これによりベアリング規制部材２６は、螺合するウォーム軸１１との相対回転が規制されるので、ウォーム軸１１に固定され、ベアリング１７の軸線方向の移動を規制する。
【００２９】
左右のベアリング収容部材１８，８９は、ともにベアリング取付けボルト２２によって収容孔１６の開口部分に取付けられているが、そのうち反モータ側（右側）のベアリング収容部材１８は、六角穴付きのクリアランス調整ボルト２５の先端を収容孔１６の開口部の周囲面に押し当てることにより、軸線方向に位置調整できるようになっている。なお、クリアランス調整ボルト２５は、ベアリング収容部材１８の雌ねじにねじ込まれている。前述のようにウォーム軸１１の軸線方向の相対移動を規制する反モータ側のベアリング収容部材１８は、このように、反モータ側の収容孔１６に嵌合され、クリアランス調整ボルト２５のねじ込み長さを調整することにより、フレーム２に対する固定位置を軸線方向に調整可能に設けられている。
【００３０】
インデックステーブル１の長期間の稼動によって、ウォーム１２の歯面や、これよりも摩耗しやすいウォームホィール１３の歯面が摩耗すると、それらの間での噛み合い遊びが大きくなり、インデックステーブル１の割出精度が低下する。このため、ウォームホィール１３とウォーム１２の噛み合わせの遊び調整が定期的に必要となる。
【００３１】
反モータ側（右側）のベアリング収容部材１８を、軸線方向に位置調整することにより、歯厚寸法がウォーム軸１１の軸線方向に沿って漸増、または漸減するウォーム１２が軸線方向に移動し、ウォームホィール１３は適切な歯厚のウォーム１２と噛み合い、ウォーム１２とウォームホィール１３との噛み合いクリアランス、すなわち噛み合い遊びが調整される。図２では、ウォーム１２は向かって右側ほど歯厚寸法が大きくなっている。このため、噛み合い遊びが大きくなると、先端がフレーム２にあたってストッパとして作用するクリアランス調整ボルト２５のねじ込み長さを短くし、その状態で、ベアリング取付けボルト２２を締め上げることにより、ベアリング収容部材１８は、フレーム２に対して左方向に移動する。ベアリング収容部材１８の移動に伴い、ベアリング収容部材１８との軸線方向の相対移動が規制されるウォーム軸１１が左方向に移動する。ウォーム軸１１の左方向への移動により、ウォームホィール１３は、ウォーム１２のより歯厚の大きい部分で噛み合うことになる。これによって、ウォーム１２とウォームホィール１３との噛み合い遊びが小さくなるように調整される。
【００３２】
回転軸１０は、一例として中空円筒であり、フレーム２の収容空間２１に納められ、前面側の端部で回転テーブル３と、中間の外周部分でスペースリング３３、クランプ板３４、フランジ部と該フランジ部よりも小径の胴部とを有するローラ支持リング３０と、ローラ支持リング３１と、さらに背面側の端部でウォームホィール１３とそれぞれ一体となっている。
【００３３】
回転テーブル３は、例えば環状であり、前面にワーク保持用治具を取り付けるため、軸心を収束点として放射状に延在する複数のＴ字溝３５を有しており、回転軸１０の前面側の端部に嵌合されて、図示しない取付けねじにより回転軸１０に固定されている。また、スペースリング３３、クランプ板３４、２つのローラ支持リング３０、３１は、六角穴付きのボルト３６によって、回転軸１０の外周に形成されている取付けフランジ３７の前面側の面に取付けられている。
【００３４】
ローラ支持リング３０のフランジ部とローラ支持リング３１間に、六角穴付きのボルト４８によってフレーム２に固定されるローラ支持リング３２が配設されており、ローラ支持リング３０のフランジ部とローラ支持リング３２との間、およびローラ支持リング３０のフランジ部とローラ支持リング３１との間に、スラスト方向のローラベアリング５０がそれぞれ保持され、また、ローラ支持リング３２の内周面とローラ支持リング３１の胴部との間に、ラジアル方向のローラベアリング４９が保持されている。このようにして、回転軸１０は、フレーム２の収容空間２１の内部で、軸線方向に移動しない状態として回転自在に支持されている。
【００３５】
なお、フレーム２の収容空間２１の背面の開口部には、オイルシールホルダ５１が取付けボルト８７により固定されており、このオイルシールホルダ５１と回転軸１０の後端部外周部分とはオイルシール５２によって塞がっている。フレーム２の上面に一対のフック用雌ねじ８１が２組設けられ、勝手仕様の変更に伴って一対のフック８０のねじ込まれる組が変更されることにより、別の工作機械への搭載等、インデックステーブル１の移動の際に、インデックステーブル１を安全に吊り上げて移動することができる。また、フレーム２の上部に、収容孔１６や収容空間２１に通じるオイル注入孔８３、その閉塞用としてオイル注入孔栓８４が設けられ、収容孔１６の底部にドレン８５、その閉塞用としてドレンプラグ５３が取付けられている。
【００３６】
ウォームホィール１３は、回転軸１０に対して背面側端部から挿入され、回転軸１０の取付けフランジ３７の背面側の面に六角穴付きの取付けボルト３８により取付けられるが、この取付けフランジ３７の背面側の面には、回転軸１０の半径方向に広がる平坦なウォームホィール取付基準面１９が設けられ、ウォームホィール１３の両端面には、ウォームホィール取付基準面１９に対応して回転軸取付基準面２０がそれぞれ形成されている。
【００３７】
両回転軸取付基準面２０は、ウォームホィール１３の歯の曲率中心から軸線方向に互いに等距離に設けられている。このため、ウォームホィール１３は、回転軸１０に対して１８０°反転しても、即ち、裏返して逆方向に取付けても、ウォームホィール１３の歯の曲率中心の位置が、ウォームホィール取付基準面１９に対し回転軸１０の軸線方向に維持される。このように、取付けフランジ３７のウォームホィール取付基準面１９は、取付け方向に応じてウォームホィール１３の両回転軸取付基準面２０の１つと選択的に接する状態で取付け可能となる。
【００３８】
また、フレーム２の前面側開口面に、環状キャップ３９がスペースリング３３に挿入した形態として図示しない固定手段により取付けられており、この環状のキャップ３９、スペースリング３３、フレーム２は、一体となって、クランプ用のピストン４０を収容するためのピストン収容空間４１を形成している。クランプ用のピストン４０は、ピストン収容空間４１の内部に納められると共に、複数のピストンガイド４３が固定されており、該ピストンガイド４３のフランジ部分が、環状キャップ３９に形成される貫通孔に挿通されることによって、フレーム２に対し、回転軸１０の軸線方向に移動可能な状態で、相対回転が規制される。また、複数の圧縮コイルスプリング４５の弾力を受けて、前方向に付勢されている。なお、ピストンガイド４３は、フランジ部分が機械加工された６角穴付きボルトであり、ピストン４０に螺合固定されている。
【００３９】
回転テーブル３を所定の割出角度だけ回転させた後に、フレーム２のクランプ作動油流入口４４から、ピストン収容空間４１の前側室にクランプ作動油４６が供給されると、クランプ用のピストン４０は、圧縮コイルスプリング４５の弾力に抗し、背面の方向に移動して、回転軸１０と一体のクランプ板３４をフレーム２の面に押し当てる。これにより、回転軸１０は、フレーム２と一体状態となってクランプされ、回転テーブル３は回転不能状態となり、所定の割出角度に維持される。これらのクランプ板３４、クランプ用のピストン４０、ピストン収容空間４１、ピストンガイド４３、圧縮コイルスプリング４５、図示しないクランプ作動油４６の供給装置などは、回転テーブル３を所定の割出角度に維持するためのクランプ装置４２を構成している。
【００４０】
なお、クランプ装置のクランプ・アンクランプの状態は、クランプ動作検出装置６７によって検出される。クランプ動作検出装置６７は、クランプ作動油４６の圧力によって移動するクランプ検出用ピストン６９と、このクランプ検出用ピストン６９に固定されているクランプ検出片５４と、クランプ検出片５４の位置を検出する２つのクランプ検出用近接センサ５５、５６とを有する。フレーム２のモータ８側、および反モータ８側に設けられるピストン室７１のうち、モータ８側のピストン室７１は、クランプ作動油流入口４４に通じており、反モータ８側のピストン室７１は、栓７５により塞がれている。クランプ検出用ピストン６９は、ピストンホルダー７３によってフレーム２のモータ８側に支持されて、ピストン室７１に移動自在に挿入され、圧縮コイルスプリング７２によってクランプ作動油４６の圧力に抗する方向に付勢されている。
【００４１】
また、２つのクランプ検出用近接センサ５５、５６は、センサブラケット７４によりピストンホルダー７３に取付けられている。左勝手仕様であれば、クランプ検出用ピストン６９や２つのクランプ検出用近接センサ５５、５６などは、左側部の面６に取付けられている。センサ５５、５６の検出信号は工作機械の制御装置に送られ、クランプ作動油４６の供給装置の故障により、回転テーブル３が十分にクランプされない状態でワークが加工されるのを回避している。
【００４２】
回転テーブル３の回転の原点位置は、図２や図４に見られるように、ウォームホィール１３の歯の両縁に設けられるフランジ部８６の一方に固定した原点検出片５７を、フレーム２の取付け用窪み７７に固定した原点近接センサ５８によって検出される。取付け用窪み７７は、左右双方の面６、７に形成されるが、左勝手仕様であれば、原点近接センサ５８は、左側の面６の取付け用窪み７７に取付けられ、右側の面７の取付け用窪み７７は、栓部材７６により塞がれている。これらの原点検出片５７および原点近接センサ５８は、回転テーブル３の原点設定装置６８を構成している。
【００４３】
フレーム２の右側部に設けられる収容孔１６および収容空間２１の開口部７８、ピストン室７１、取付け用窪み７７は、互いに上下位置に配設される２つの蓋６５が、取付けボルト６６によりフレーム２にそれぞれ取り付けられて外部から遮蔽されると共に、Ｏリング等の密閉材料を介して密閉される。
【００４４】
前記のように、フレーム２の右側部、左側部は、設置面５と直交して回転軸１０を通る面に対し、左右対称に形成されており、特に、２つのベアリング収容部材１８、８９の収容孔１６は、左右同一径である。したがって、ディスタンス５９、クランプ動作検出装置６７、回転テーブル３の原点設定装置６８、モータ８の出力軸９、出力軸９の軸端に固定されるギヤ１４、ウォーム軸１１の一端に固定されるギヤ１５、２つのベアリングホルダ収容部材１８、８９、２つの蓋６５は、右側部、左側部共、取り付け可能または収容可能である。なお、この例では、クランプ動作検出装置６７、回転テーブル３の原点設定装置６８は、右側部、左側部に共に取り付け可能であるが、フレーム２を左右対称とせず、一方のみに取り付け可能としてもよい。その場合、モータカバー６０によって外部から遮蔽されない勝手仕様では、図示しないが、その勝手仕様に専用のカバーを設けて、それらの装置を保護する。
【００４５】
左勝手仕様のインデックステーブル１では、回転テーブル３を正面に見て、モータ８は図１ないし図５のように、フレーム２の一方の面６に配置されているが、右勝手仕様のインデックステーブル１では、同様に回転テーブル３を正面に見て、モータ８は図６および図７のように、フレーム２の他方の面７に配置される。
【００４６】
本実施例では、勝手仕様の変更時に、モータ８を、フレーム２の一方の面６から外して、１８０°反転させ他方の面７に取付けるほか、ウォーム軸１１も１８０°反転される、すなわち、フレーム２に対し左右逆方向に取り付けられる。このウォーム軸１１の反転に伴って、噛み合いを維持するため、ウォームホィール１３は、回転軸１０に対し１８０°反転して、つまり回転軸１０に対し裏返しして逆方向に取り付けられる。
【００４７】
勝手仕様の変更は、左勝手仕様から右勝手仕様に、またその逆も可能であるが、ここでは一例として、図１ないし図５の左勝手仕様のインデックステーブル１を図６および図７の右勝手仕様のインデックステーブル１に変更するときの作業手順を具体的に説明する。
【００４８】
（１）まずモータカバー６０を取り外し、一方の面６にあるモータ８を、ギヤ１４、ギヤ取付け部材２３ごとフレーム２から取り外してから、面６の側にあるディスタンス５９、クランプ動作検出装置６７、原点設定装置６８を取り外す。また、他方の面７の側にある２つの蓋６５、栓７５、栓部材７６を取り外すとともに、フレーム２の上の２つのフック８０を面７寄りの一対のフック用雌ねじ８１に付け替える。
【００４９】
（２）ボルト２９を緩めて、ギヤ１５を、ギヤ取付け部材２８ごとウォーム軸１１から取り外す。ボルト２２を取り外して、左側のベアリング収容部材８９を、ベアリング８８ごとフレーム２から取り外す。ボルト２２を取り外して、ウォーム軸１１を、ベアリング収容部材１８ごとフレーム２の他方の面７側、即ち右側に抜く。
【００５０】
（３）取付けボルト８７を取り外して、オイルシールホルダ５１を、オイルシール５２ごと取り外す。六角穴付きの取付けボルト３８を取り外し、ウォームホィール１３を回転軸１０の後端部から取り外す。またウォームホィール１３から原点検出片５７を取り外し、ウォームホィール１３の反対側のフランジ部８６に仮取付けをする。つぎに、ウォームホィール１３を逆方向に、すなわち１８０°反転して裏返しにして回転軸１０に取付ける。これにより、ウォームホィール取付け基準面１９は、変更前の勝手仕様で選択された一方の回転軸取付け基準面２０に対し、他方の回転軸取付け基準面２０が選択されて該基準面２０と接する。オイルシールホルダ５１をフレーム２に取り付けて、オイルシール５２を取り付ける。
【００５１】
（４）ウォーム軸１１を、ベアリング収容部材１８ごと１８０°反転させ、前の左勝手仕様の組み込みに対して左右逆方向にして、一方の面６側からフレーム２に挿入する。２つのベアリング収容部材１８、８９を、前とは逆のフレーム２の収容孔１６にそれぞれ固定すると共に、ウォーム１２とウォームホィール１３とを噛み合わせる。
【００５２】
（５）クリアランス調整ボルト２５の突出長さを、一方の面６側、即ち反モータ８側から調整し、反モータ８側のベアリング収容部材１８のフレーム２に対する軸線方向位置を調整して、ウォーム軸１１のフレーム２に対する軸線方向位置を調整することにより、ウォームホィール１３とウォーム１２との噛み合い遊びを調整する。ギヤ１５を、ギヤ取付け部材２８を介しウォーム軸１１に取り付ける。原点設定装置６８を面７側の所定の位置に取り付ける。
【００５３】
（６）フレーム２の面７にディスタンス５９を取り付け、取り付けたディスタンス５９にモータ８を固定し、出力軸９のギヤ１４をウォーム軸１１のギヤ１５と噛み合わせる。モータ８の回転方向を変更する。クランプ動作検出装置６７を面７側の所定の位置に取り付ける。
【００５４】
（７）原点設定装置６８によって、回転テーブル３の原点を再設定してから、モータカバー６０をディスタンス５９に取り付ける。このとき、ターミナルカバー６４や窓カバー７０を付け替え、反モータ側に栓７５、栓部材７６、２つの蓋６５を取り付ける。
【００５５】
以上の取付け位置の変更によって、インデックステーブル１は、図１ないし５図の左勝手仕様から図６〜図７の右勝手仕様に変更されたことになる。
【００５６】
前記の（７）で記載したように、回転テーブル３の回転角の基準位置（原点位置）は、勝手仕様を変更した場合、原点設定装置６８によって、回転テーブル３の回転角の基準位置（原点位置）を再設定する必要がある。ウォームホィール１３の両端部の半径方向外側（縁）部分に、それぞれフランジ部８６が設けられ、反回転テーブル側のフランジ部８６に原点検出片５７が押しねじなどで固定されるが、原点設定は、回転テーブル３を所定方向例えば図１で時計方向に回転させ、回転テーブル３に設けられている基準印がフレーム２の基準印と一致した時、原点近接センサ５８が原点検出片５７を検知するように、原点検出片５７の取付け位置が調整される。
【００５７】
この例では、ウォームホィール１３の両端部にフランジ部８６が設けられ、勝手仕様の変更に伴って原点検出片５７は、別のフランジ部８６に付け替えられる。しかし、フランジ部８６を、ウォームホィール１３の一端部のみに設けてもよく、その場合、右勝手の仕様と左勝手の仕様とでは、ウォームホィール１３が互いに逆方向に取り付けられるので、原点検出片５７の位置が、回転軸１０の軸線方向に互いに異なる。そのため、右勝手の仕様と左勝手の仕様では、フレーム２の面６、７における原点近接センサ５８の取り付け位置も、面６、面７で、回転軸１０の軸線方向に異なることになり、フレーム２は左右対称に形成されない。
【００５８】
本実施例では、勝手仕様の変更にともない、ベアリング収容部材１８、８９をベアリング１７、８８毎付け替えている。しかし、ウォーム１２の歯厚寸法が軸線方向に沿って漸増または漸減するウォーム１２を用いない装置の場合に、また、勝手仕様によってはモータ８を取り外して噛み合い遊びの調整を行う場合には、ことさら収容孔１６を同径として、ベアリング収容部材１８、８９を付け替え可能とする必要はない。その場合、ウォーム軸１１のベアリング嵌合部の軸径は、両端で互いに同径に形成される必要があり、内輪が互いに同径であるベアリングがベアリング１７、８８として用いられる、または内輪が大径である方のベアリングとウォーム軸１１との間に、ブッシュが設けられる。
【００５９】
また、本実施例では、モータ８は、出力軸９が面６、７への取付面に対し直交するタイプであるが、出力軸９が面６、７への取付面に対し平行であるタイプであってもよい。その場合、伝達要素として一対のベベルギヤ等が用いられ、各ベベルギヤ等は、それぞれ出力軸９、ウォーム軸１１に取り付けられて互いに噛み合う。また、勝手仕様の変更に伴って、モータ８の付け替えと共に、ベベルギヤ等およびベベルギヤ等やモータ８のカバも付け替えられる。
【産業上の利用可能性】
【００６０】
インデックステーブル１は、工作機械に最初から付属するものであってもよく、また工作機械に後付けとして付属するものであってもよい。
【００６１】
本発明は、上記のいずれの実施例にも限定されるものでなく、本発明の趣旨を逸脱しない限りにおいて種々に変更することが可能である。
【図面の簡単な説明】
【００６２】
【図１】本発明の実施例での左勝手仕様のインデックステーブル１の平面図である。
【図２】図１でのＡ−Ａ断面図である。
【図３】図２でのＢ−Ｂ断面図である。
【図４】図３での一部の拡大断面図である。
【図５】図２でモータ８取り外し状態でのＣ−Ｃ方向側面図である。
【図６】本発明の実施例での右勝手仕様のインデックステーブル１の平面図である。
【図７】図６でのＡ−Ａ断面図である。
【符号の説明】
【００６３】
１  インデックステーブル
２  フレーム
３  回転テーブル
４  回転テーブル面
５  設置面
６  面
７  面
８  モータ
９  出力軸
１０  回転軸
１１  ウォーム軸
１２  ウォーム
１３  ウォームホイール
１４  ギヤ（伝達要素）
１５  ギヤ（伝達要素）
１６  収容孔
１７  テーパローラベアリング
１８  ベアリング収容部材
１９  ウォームホイール取付基準面
２０  回転軸取付基準面
２１  収容空間
２２  ベアリング取付けボルト
２３  ギヤ取付け部材
２４  固定ボルト
２５  クリアランス調整ボルト
２６  ベアリング規制部材
２７  止めリング
２８  ギヤ取付け部材
２９  固定ボルト
３０  ローラ支持リング
３１  ローラ支持リング
３２  ローラ支持リング
３３  スペースリング
３４  クランプ板
３５  Ｔ字溝
３６  ボルト
３７  取付けフランジ
３８  取付けボルト
３９  環状キャップ
４０  ピストン
４１  ピストン収容空間
４２  クランプ装置
４３  ピストンガイド
４４  クランプ動作油流入口
４５  圧縮コイルスプリング
４６  クランプ動作油
４８  取付けボルト
４９  ローラベアリング（ラジアル）
５０  ローラベアリング（スラスト）
５１  オイルシールホルダ
５２  オイルシール
５３  ドレンプラグ
５４  クランプ検出片
５５  クランプ検出用近接センサ
５６  クランプ検出用近接センサ
５７  原点検出片
５８  原点近接センサ
５９  デイスタンス
６０  モータカバー
６１  ベース
６２  取付けボルト
６３  ターミナル窓
６４  ターミナルカバー
６５  蓋
６６  取付けボルト
６７  クランプ動作検出装置
６８  原点設定装置
６９  クランプ検出用ピストン
７０  窓カバー
７１  ビストン室
７２  圧縮コイルスプリング
７３  ピストンホルダー
７４  センサブラケット
７５  栓
７６  栓部材
７７  取付け用窪み
７８  開口部
７９  平坦面
８０  フック
８１  フック用雌ねじ
８３  オイル注入孔
８４  オイル注入孔栓
８５  ドレン
８６  フランジ部
８７  取付けボルト
８８  ニードルベアリング
８９  ベアリング収容部材
【図１】
0005116135.tif 000002
【図２】
0005116135.tif 000003
【図３】
0005116135.tif 000004
【図４】
0005116135.tif 000005
【図５】
0005116135.tif 000006
【図６】
0005116135.tif 000007
【図７】
0005116135.tif 000008